(57)【要約】【課題】実質的に背や肘がなく座のみを脚で支持した椅子、特にパイプ等の連結材を介して複数の座を共通の脚で支持した連結椅子にも観覧や観客の出入りの妨げにならないように設けられるカップホルダを提供することにある。【解決手段】座３を直接または支持部材２を介して脚１で支持した椅子に用いるカップホルダにおいて、前記座３、前記脚１または前記支持部材２に支持される基部６ａと、その基部から上下方向へ延在する腕部６ｂと、を有するブラケット６と、前記ブラケットの前記腕部６ｂに装着されて前記座３の下方または上方に位置するカップホルダ本体７と、を具えることを特徴とするものである。【選択図】図１
2011142932.tif 000002
【特許請求の範囲】
【請求項１】
座（３）を直接または支持部材（２）を介して脚（１）で支持した椅子に用いるカップホルダにおいて、
前記座（３）、前記脚（１）または前記支持部材（２）に支持される基部（６ａ）と、その基部から上下方向へ延在する腕部（６ｂ）と、を有するブラケット（６）と、
前記ブラケットの前記腕部（６ｂ）に装着されて前記座（３）の下方または上方に位置するカップホルダ本体（７）と、
を具えることを特徴とする、椅子用カップホルダ。
【請求項２】
前記椅子は、前記支持部材としての連結材（２）によって複数の前記座（３）を共通の前記脚（１）で支持した連結椅子であり、
前記ブラケット（６）の前記基部（６ａ）は、前記連結材（２）に支持されるものであることを特徴とする、請求項１記載の椅子用カップホルダ。
【請求項３】
前記ブラケット（６）の前記基部（６ａ）は、隣り合う前記座の間の位置で前記連結材（２）に支持されるものであることを特徴とする、請求項２記載の椅子用カップホルダ。
【請求項４】
前記ブラケット（６）の前記基部（６ａ）は、前記座（３）の左右方向中央部の位置で前記座（３）に支持されるものであることを特徴とする、請求項１記載の椅子用カップホルダ。
【請求項５】
前記ブラケット（６）の前記腕部（６ｂ）は、前記基部（６ａ）から下方へ延在し、
前記カップホルダ本体（７）は、カップを前方へ傾けて保持することを特徴とする、請求項１から４までの何れか１項記載の椅子用カップホルダ。
【請求項６】
前記カップホルダ本体（７）は、前記ブラケット（６）の前記腕部（６ｂ）に高さ変更可能に装着されていることを特徴とする、請求項１から４までの何れか１項記載の椅子用カップホルダ。
【請求項７】
前記ブラケット（６）の前記腕部（６ｂ）は、前記基部（６ａ）に一端部を回動可能にかつ回動位置で固定可能に連結されていることを特徴とする、請求項１から４までの何れか１項記載の椅子用カップホルダ。
【請求項８】
前記カップホルダ本体（７）は、カップ状またはリング状をなしていることを特徴とする、請求項１から４までの何れか１項記載の椅子用カップホルダ。
【発明の詳細な説明】
【技術分野】
【０００１】
この発明は、野球場やスタジアムの観覧席等に配置する、実質的に背や肘がなく座のみを脚で支持した椅子、特には、パイプ等の連結材を介して複数の座を共通の脚で支持した連結椅子に用いて好適なカップホルダに関するものである。
【背景技術】
【０００２】
野球場やスタジアムの観覧席等に配置する、実質的に背や肘がなく座のみを脚で支持した椅子としては従来、例えば特許文献１にて開示されたベンチ型のものが知られており、この椅子は、横並びの二本のパイプで構成した連結材の両端部を脚で支持するとともに、その連結材上に各々略正方形状の３個の座をその連結材の長手方向に比較的密に並べて配置し、それらの座の各々の底面を逆台形状の二個のブラケットを介して連結材に固定することで、その連結材を介して複数の座を共通の脚で支持してなるものである。
【先行技術文献】
【特許文献】
【０００３】
【特許文献１】意匠登録第１３７３３５１号公報
【発明の概要】
【発明が解決しようとする課題】
【０００４】
ところで、映画館や劇場では、従来から観客が飲料を飲みながら観覧できるように、飲料カップを保持するカップホルダを観覧席の椅子に設ける場合が多く、かかる場合に、映画館や劇場の椅子は肘や背を持つので、カップホルダは観覧や観客の出入りの妨げにならないように、自席の肘の前端部や前席の背の引っ込んだ側部の背面で支持するのが通常である。一方、近年は野球場やスタジアムの観覧席等の椅子へもカップホルダを設けたいという要望が高まっている。
【０００５】
しかしながら、野球場やスタジアムの観覧席等の椅子では、上記従来の椅子のように実質的に背や肘がなく座のみを脚で支持しており、しかも連結椅子では座の間隔が比較的密なため肘を配置する場所もほとんどないので、カップホルダを自席の肘の前端部や前席の背の側端部の背面で支持するといった方法が採用できず、観覧や観客の出入りの妨げにならないようにカップホルダを椅子に設けるのは困難であった。
【課題を解決するための手段】
【０００６】
この発明は、上記従来の椅子用カップホルダの課題を有利に解決するものであり、この発明の椅子用カップホルダは、座を直接または支持部材を介して脚で支持した椅子に用いるカップホルダにおいて、前記座、前記脚または前記支持部材に支持される基部と、その基部から上下方向へ延在する腕部と、を有するブラケットと、前記ブラケットの前記腕部に装着されて前記座の下方または上方に位置するカップホルダ本体と、を具えることを特徴とするものである。
【発明の効果】
【０００７】
かかる椅子用カップホルダにあっては、ブラケットの基部が、椅子の座、その座を直接または支持部材を介して支持する脚、またはその支持部材に支持され、その基部からブラケットの腕部が上下方向へ延在し、カップホルダ本体が、そのブラケットの腕部に装着されて座の下方または上方に位置し、カップを保持する。
【０００８】
従って、この発明の椅子用カップホルダによれば、実質的に背や肘がなく座のみを脚で支持した椅子、特にパイプ等の連結材を介して複数の座を共通の脚で支持した連結椅子にも、観覧や観客の出入りの妨げにならないようにカップホルダを設けることができる。
【０００９】
なお、この発明においては、前記椅子は、前記支持部材としての連結材によって複数の前記座を共通の前記脚で支持した連結椅子であり、前記ブラケットの前記基部は、前記連結材に支持されるものであっても良い。このようにすれば、連結椅子の連結材は座の下方等で複数の座に亘って延在するので、座に対する左右方向の任意の位置に、後付でブラケットの基部を装着して支持することができる。
【００１０】
また、この発明においては、前記ブラケットの前記基部は、隣り合う前記座の間の位置で前記連結材に支持されるものであっても良い。このようにすれば、ブラケットの腕部も隣り合う座の間に位置し、そこに装着されたカップホルダ本体が座の側部の下方または上方に位置するので、座に座った観客の手の届きやすい位置にカップを保持することができる。
【００１１】
一方、この発明においては、前記ブラケットの前記基部は、前記座の左右方向中央部の位置で前記座に支持されるものであっても良い。このようにすれば、ブラケットの腕部も座の中央部に位置し、そこに装着されたカップホルダ本体が座の中央部の下方または上方に位置するので、隣の座に座った観客の観覧の妨げにならない位置にカップを保持することができる。
【００１２】
さらに、この発明においては、前記ブラケットの前記腕部は、前記基部から下方へ延在し、前記カップホルダ本体は、カップを前方へ傾けて保持するものであっても良い。このようにすれば、座の下方にカップホルダが位置するので、座に座った観客の観覧の妨げにならない位置にカップを保持することができ、しかもカップホルダ本体はカップを前方へ少し傾けて保持するので、座に妨げられずにカップをカップホルダ本体に対して出し入れすることができる。
【００１３】
さらに、この発明においては、前記カップホルダ本体は、前記ブラケットの前記腕部に高さ変更可能に装着されていても良い。このようにすれば、ビール等用の比較的高さが高いカップを比較的低い位置に保持する一方、コーヒー等用の比較的高さが低いカップを比較的高い位置に保持することができるので、カップの高さにかかわらずカップを取り出しやすくすることができる。
【００１４】
さらに、この発明においては、前記ブラケットの前記腕部は、前記基部に一端部を回動可能にかつ回動位置で固定可能に連結されていても良い。このようにすれば、カップホルダの不使用時は腕部を座の下方の後方へ回動させてカップホルダ本体を邪魔にならないように座の下方の奥に収納し、カップホルダの使用時は腕部を座の下方の前方あるいは座の上方へ回動させてカップホルダ本体を使いやすい位置に位置させることができる。
【００１５】
そして、この発明においては、前記カップホルダ本体は、カップ状またはリング状をなしていても良い。このようにすれば、カップ状のカップホルダ本体はカップを広い面積で囲んで確実に保持することができ、一方、リング状のカップホルダ本体は不使用時に立てることで邪魔にならないように収納することができる。
【図面の簡単な説明】
【００１６】
【図１】（ａ），（ｂ），（ｃ），（ｄ），（ｅ）および（ｆ）は、この発明の椅子用カップホルダの第１実施例を示す平面図、下面図、正面図、側面図、背面図および、（ｃ）中のＡ−Ａ線に沿う断面図である。
【図２】上記第１実施例の椅子用カップホルダを二種類の連結椅子のそれぞれに装着した状態で示す側面図である。
【図３】（ａ），（ｂ）は、上記第１実施例の椅子用カップホルダを図２の下段に示す連結椅子に装着した状態で示す平面図および正面図である。
【図４】この発明の椅子用カップホルダの第２実施例を図３に示す連結椅子に装着した状態で示す側面図である。
【図５】この発明の椅子用カップホルダの第３実施例を図３に示す連結椅子に装着した状態で示す側面図である。
【図６】この発明の椅子用カップホルダの第４実施例を図３に示す連結椅子に装着した状態で示す側面図である。
【図７】この発明の椅子用カップホルダの第５実施例を図３に示す連結椅子に装着した状態で示す正面図である。
【発明を実施するための形態】
【００１７】
以下、この発明の実施の形態を図面に基づく実施例によって詳細に説明する。ここに、図１（ａ），（ｂ），（ｃ），（ｄ），（ｅ）および（ｆ）は、この発明の椅子用カップホルダの第１実施例としての吊下げ式のカップホルダを示す平面図、下面図、正面図、側面図、背面図および図１（ｃ）中のＡ−Ａ線に沿う断面図であり、図２は、上記第１実施例のカップホルダを二種類の連結椅子のそれぞれに装着した状態で示す側面図であり、図３（ａ），（ｂ）は、上記第１実施例のカップホルダを図２の下段に示す連結椅子に装着した状態で示す平面図および正面図である。
【００１８】
この第１実施例の吊下げ式のカップホルダは、野球場やスタジアムの観覧席等に設置される、実質的に背や肘がなく座のみを脚で支持する従来例と同様のベンチ型の二種類の連結椅子に用いるものであり、ここにおける二種類の連結椅子のうち図２の側面図中の下段側（図では左側）のものは、図３（ａ）の平面図および図３（ｂ）の正面図に左半部（椅子に座った人から見て）を示すように、階段状の床Ｆの前向き面Ｆ１に後端部を固定された略Ｌ字状の４本（図３では２本のみ示す）の脚１で、横並びの二本のパイプ２ａと端部カバー２ｂとで構成した連結材２の両端部および中間部を支持するとともに、その連結材２上に各々略正方形状の９個（図３では４個半のみ示す）の座３をその連結材２の長手方向に比較的密に並べて配置し、それらの座３の各々の底面を二個の固定金具４で連結材２に固定することで、その連結材２を介して９個の座３を共通の脚１で支持してなるものである。そして、上記二種類の連結椅子のうち図２の側面図中の上段側（図では右側）のものは、脚１の形状が略台形状で、脚１の下端部が階段状の床Ｆの上向き面Ｆ２に固定されている点のみ下段側のものと異なっており、他の点では下段側のものと同一の構成を具えている。
【００１９】
かかる連結椅子に用いるこの第１実施例の吊下げ式のカップホルダ５は、図１に示すように、連結材２に支持される基部６ａと、その基部６ａから下方へ延在する腕部６ｂとを有する１本のブラケット６と、そのブラケット６の腕部６ｂの両側部に装着固定されて座３の下方に位置する２個のカップホルダ本体７と、ブラケット６の基部６ａを連結材２に固定するための固定金具８と、を具えてなるものであり、ブラケット６の基部６ａは、図３（ａ）に座３の一部を切り欠いて示すとともに図３（ｂ）に示すように、隣り合う座３の間の位置で連結材２に支持される。なお、この連結椅子は座３が奇数個であるので、図示しないがこの連結椅子の右端の座の着座者用に連結材２の右端部に、ブラケット６の片側（座３がある側）だけにカップホルダ本体７が固定された変形例のカップホルダ５も支持されている。
【００２０】
ここにおけるブラケット６は、例えば鋼板を折曲して形成した溝型部材の中間部を折曲し、その折曲部分を溶接固定して折曲部分が僅かに鋭角をなす略Ｌ字状に形成するとともに、その折曲部分から一端部まで略水平に延在する部分を基部６ａ、その折曲部分から他端部まで垂直に延在する部分を腕部６ｂとしており、この基部６ａは、連結材２の二本のパイプ２ａと掛合する二箇所の円弧状凹部６ｃと、それらの円弧状凹部６ｃの間に溶接固定されるとともに中央部に貫通孔を形成された溝型支持部材６ｄと、その溝型支持部材６ｄの中央部の内側にその貫通孔と整列して溶接固定されたナット６ｅとを有している。
【００２１】
また固定金具８は、中央部に貫通孔を有するとともに両端部に、基部６ａの二箇所の円弧状凹部６ｃと対向する二箇所の円弧状凹部８ａを有しており、この固定金具８の中央部の貫通孔に挿通したボルト９を上記ナット６ｅに螺合させて締め込むことで、ブラケット６の基部６ａは、図２に示すように、その円弧状凹部６ｃと固定金具８の円弧状凹部８ａとの間に連結材２の二本のパイプ２ａを挟持して連結材２に固定され、これによりブラケット６の腕部６ｂは、ほぼ鉛直方向へ延在する。
【００２２】
一方、ブラケット６の腕部６ｂは、その下端部の両側部に上下方向へ並べて二箇所ずつ形成された貫通孔にそれぞれ整列するようにその下端部の両側部の内側に溶接固定されたナット６ｆを有している。また、カップホルダ本体７は、例えばプラスチックにて形成され、側部から外方に突出するとともに上下の二箇所に貫通孔が形成された取付け部７ａとゴミや水等を排出する底部の四箇所の貫通孔７ｂとを有して略カップ状をなしており、その取付け部７ａの二箇所の貫通孔にそれぞれ挿通した止ネジ１０を上記ナット６ｆに螺合させて締め込むことで、カップホルダ本体７は、図１（ｃ），（ｄ）に示すように、上端開口部７ｃが若干前方および外側へ向くようにブラケット６の腕部６ｂの下端部に固定されている。この姿勢によりカップホルダ本体７は、その上端開口部７ｃから内側に入れられて底部７ｂで支持されたカップを前方および側方へ少し傾けて保持することができる。なお、カップホルダ本体７の側面には、止ネジ１０を工具で締め込みやすいように長穴が形成されている。
【００２３】
かかる第１実施例のカップホルダ５にあっては、ブラケット６の基部６ａが、連結椅子の座３を支持する連結材２に支持され、その基部６ａからブラケット６の腕部６ｂが下方へ延在し、カップホルダ本体７が、そのブラケット６の腕部６ｂに装着されて座３の下方に位置し、カップを保持する。
【００２４】
従って、この第１実施例の吊下げ式のカップホルダ５によれば、実質的に背や肘がなく複数の座３のみを連結材２を介して共通の脚１で支持した連結椅子に、観覧や観客の出入りの妨げにならないようにカップホルダを設けることができる。
【００２５】
しかもこの第１実施例のカップホルダ５のブラケット６の基部６ａは、連結椅子の連結材２に支持されるものであり、この連結椅子の連結材２は座３の下方で複数の座３に亘って延在するので、座３に対する左右方向の任意の位置に、後付でブラケット６の基部６ａを装着して支持することができる。
【００２６】
また、この第１実施例のカップホルダ５によれば、ブラケット６の基部６ａは、隣り合う座３の間の位置で連結材２に支持されるものであるため、ブラケット６の腕部６ｂも隣り合う座３の間に位置し、そこに装着されたカップホルダ本体７が座３の側部の下方に位置するので、座３に座った観客の手の届きやすい位置にカップを保持することができる。
【００２７】
さらにこの第１実施例のカップホルダ５によれば、ブラケット６の腕部６ｂは、基部６ａから下方へ延在し、カップホルダ本体７は、カップを前方へ傾けて保持するものであることから、座３の下方にカップホルダが位置するので、座３に座った観客の観覧の妨げにならない位置にカップを保持することができ、しかもカップホルダ本体７はカップを前方へ少し傾けて保持するので、座３に妨げられずにカップをカップホルダ本体７に対して出し入れすることができる。
【００２８】
そしてこの第１実施例のカップホルダ５によれば、カップホルダ本体７は、カップ状をなしているので、カップを広い面積で囲んで確実に保持することができる。
【００２９】
図４は、この発明の椅子用カップホルダの第２実施例としての吊下げ式のカップホルダを図３に示す連結椅子に装着した状態で示す側面図であり、図中、先の第１実施例と同様の部分はそれと同一の符号にて示す。この第２実施例の吊下げ式のカップホルダは、第１実施例とはブラケットの支持位置がおよびカップホルダの装着位置が異なるだけであるので、以下には主としてその異なる点のみを説明する。
【００３０】
すなわち、この第２実施例のカップホルダ５では、ブラケット６がＬ字状でなく直線状をなすとともに、図ではブラケット６の上端部に位置する基部６ａに左右方向へ延在する取付けフランジ６ｇが形成されており、この取付けフランジ６ｇに形成された貫通孔に挿通した止ネジ１０を、座３の下面前端部の左右方向中央部にねじ込むことにより、ブラケット６の基部６ａが座３の下面に支持されて、その基部６ａに繋がる腕部６ｂが座３から下方へ延在している。そして、カップホルダ本体７は、そのカップホルダ本体７の取付け部７ａの貫通孔に挿通した図示しない止ネジを、ブラケット６の下端部の前面に設けた貫通孔を通して、その裏側に溶接されたナット６ｆに螺着させることで、ブラケット６の下端部の前面に少し前傾して１個だけ装着固定されている。
【００３１】
かかる第２実施例のカップホルダ５によれば、先の第１実施例と同様の作用効果を奏し得るのに加えて、ブラケット６の基部６ａが、座３の左右方向中央部の位置で座３に支持されていることから、ブラケット６の腕部６ｂも座３の中央部に位置し、そこに装着されたカップホルダ本体７が座３の中央部の下方に位置するので、隣の座３に座った観客の観覧の妨げにならない位置にカップを保持することができる。
【００３２】
図５は、この発明の椅子用カップホルダの第３実施例としての吊下げ式のカップホルダを図３に示す連結椅子に装着した状態で示す側面図であり、図中、先の第１実施例と同様の部分はそれと同一の符号にて示す。この第３実施例の吊下げ式のカップホルダは、第１実施例とはカップホルダの装着方法が異なるだけであるので、以下には主としてその異なる点のみを説明する。
【００３３】
すなわち、この第３実施例のカップホルダ５では、ブラケット６の腕部６ｂの両側部にその下端部から中央部にかけて上下方向へ延在するとともに上端部が斜め下方へ後方側に曲がった案内長穴６ｈが形成され、そして各々頭部を腕部６ｂの裏側に掛合された二本のピン１１の軸部がその案内長穴６ｈに遊挿されてカップホルダ本体７の貫通孔に挿通固定されている。
【００３４】
かかる第３実施例のカップホルダ５にあっては、二本のピン１１が案内長穴６ｈで案内されてカップホルダ本体７が図中矢印Ｂで示すように昇降移動し得るとともに、下降位置では下側のピン１１が案内長穴６ｈの下端に当接してカップホルダ本体７が位置決めされ、上昇位置では上側のピン１１が案内長穴６ｈの斜め下方へ曲がった部分へ掛止されてカップホルダ本体７が位置決めされる。
【００３５】
従って、この第３実施例のカップホルダ５によれば、先の第１実施例と同様の作用効果を奏し得るのに加えて、カップホルダ本体７が、ブラケット６の腕部６ｂに高さ変更可能に装着されていることから、着座者等がその高さを変えることで、ビール等用の比較的高さが高いカップを低い位置に保持する一方、コーヒー等用の比較的高さが低いカップを高い位置に保持することができるので、カップの高さにかかわらずカップを取り出しやすくすることができる。
【００３６】
図６は、この発明の椅子用カップホルダの第４実施例としての揺動収納式のカップホルダを図３に示す連結椅子に装着した状態で示す側面図であり、図中、先の第１実施例と同様の部分はそれと同一の符号にて示す。この第４実施例の揺動収納式のカップホルダは、第１実施例とはブラケットの構造およびカップホルダ本体の使用位置が異なるだけであるので、以下には主としてその異なる点のみを説明する。
【００３７】
すなわち、この第４実施例のカップホルダ５では、ブラケット６の腕部６ｂがブラケット６の基部６ａに固定されていず、腕部６ｂの基端部（図では上端部）に固定された二本のピン１１のうち一方のピン１１が、基部６ａの前端部（図では左端部）に形成されて上下方向へ延在する長穴６ｉに遊挿されて、腕部６ｂが基部６ａに対し図中矢印Ｃで示すように前後および上下方向へ揺動可能に連結され、その腕部６ｂが基部６ａに対し斜め上方へ揺動した使用位置で、上記一方のピン１１が長穴６ｉ内で移動することで、他方のピン１１が、基部６ａの前端部で長穴６ｉの上側に形成された凹部６ｊに掛合し得るようにされており、これにより腕部６ｂは、斜め上方へ揺動した使用位置で固定可能とされている。そしてカップホルダ本体７は、腕部６ｂが斜め上方へ揺動した使用位置にあるときに上向きとなる向きで腕部６ｂに固定されている。
【００３８】
従って、この第４実施例のカップホルダ５によれば、先の第１実施例と同様の作用効果を奏し得るのに加えて、ブラケット６の腕部６ｂが、基部６ａに一端部を回動可能にかつ回動位置で固定可能に連結されているので、着座者等が、カップホルダの不使用時は腕部６ｂを座３の下方の後方へ回動させてカップホルダ本体７を邪魔にならないように座３の下方の奥に収納し、カップホルダの使用時は腕部６ｂを座３の上方へ回動させてカップホルダ本体７を座３の斜め上方の使いやすい位置に位置させることができる。
【００３９】
図７は、この発明の椅子用カップホルダの第５実施例としてのリング型のカップホルダを図３に示す連結椅子に装着した状態で示す正面図であり、図中、先の第１実施例と同様の部分はそれと同一の符号にて示す。この第５実施例のリング型のカップホルダは、第１実施例とはカップホルダ本体の構成が異なるだけであるので、以下には主としてその異なる点のみを説明する。
【００４０】
すなわち、この第５実施例のカップホルダ５では、カップホルダ本体７が、カップ状でなくリング状の入口部７ｅと、板状の底部７ｆと、それら入口部７ｅと底部７ｆとの側部同士を揺動可能に連結する連結ロッド７ｇとを有し、入口部７ｅと底部７ｆとはそれぞれブラケット６の腕部６ｂの側部に上下方向へ揺動可能に軸支されている。
【００４１】
従って、この第５実施例のカップホルダ５によれば、先の第１実施例と同様の作用効果を奏し得るのに加えて、着座者等が入口部７ｅを揺動させることで底部７ｆも一緒に、図中矢印Ｄで示すように、略水平な使用位置と略垂直な収納位置との間で揺動させることができるので、不使用時に収納位置に立てることで、着座者の邪魔にならないように収納することができる。
【００４２】
以上、図示例に基づき説明したが、この発明は上述の例に限定されるものでなく、特許請求の範囲の記載範囲内で適宜変更し得るものであり、例えば、第２〜第５実施例のカップホルダにおいても、第１実施例のカップホルダの変形例のように、カップホルダ本体７をブラケット６の片側だけに設けても良い。また第１〜第５実施例におけるブラケット６の腕部６ｂを、基部６ａから斜め下方へ延在するようにしても良く、第４実施例におけるブラケット６の腕部６ｂを、基部６ａから真上に延在するようにしても良い。
【００４３】
そして、この発明の椅子用カップホルダは、パイプからなる連結材を持つ連結椅子だけでなく、他の形状の連結材を持つ連結椅子や、２人分以上の座を長椅子状に持つ連結椅子にも用いることができ、さらに連結椅子だけでなく一人用の椅子にも、また背や肘を持つ通常の椅子にも用いることができる。
【産業上の利用可能性】
【００４４】
かくしてこの発明の椅子用カップホルダによれば、実質的に背や肘がなく座のみを脚で支持した椅子、特にパイプ等の連結材を介して複数の座を共通の脚で支持した連結椅子にも、観覧や観客の出入りの妨げにならないようにカップホルダを設けることができる。
【符号の説明】
【００４５】
１  脚
２  連結材
２ａ  パイプ
２ｂ  端部カバー
３  座
４  脚
５  カップホルダ
６  ブラケット
６ａ  基部
６ｂ  腕部
６ｃ  円弧状凹部
６ｄ  溝型支持部材
６ｅ，６ｆ  ナット
６ｇ  取付けフランジ
６ｈ，６ｉ  長穴
６ｊ  凹部
７  カップホルダ本体
７ａ  取付け部
７ｂ  貫通孔
７ｃ  上端開口部
７ｄ，７ｆ  底部
７ｅ  入口部
７ｇ  連結ロッド
８  固定金具
８ａ  円弧状凹部
９  ボルト
１０  止ネジ
１１  ピン
Ｆ  床
Ｆ１  前向き面
Ｆ２  上向き面
【図１】
2011142932.tif 000003
【図２】
2011142932.tif 000004
【図３】
2011142932.tif 000005
【図４】
2011142932.tif 000006
【図５】
2011142932.tif 000007
【図６】
2011142932.tif 000008
【図７】
2011142932.tif 000009